(57)【要約】  液体有機化合物である処理成分及び固体有機化合物である担体を含む水処理用組成物。【特許請求の範囲】
【請求項１】
液体有機化合物である処理成分及び固体有機化合物である担体を含む水処理用組成物。
【請求項２】
処理成分が水中で実質的に不溶である、請求項１に記載の水処理用組成物。
【請求項３】
担体が水中で実質的に不溶である、請求項１又は請求項２に記載の水処理用組成物。
【請求項４】
担体が、ある容量の水全体に処理成分が拡散するのを実質的に抑止する、請求項１から３までのいずれか一項に記載の水処理用組成物。
【請求項５】
担体が、ワックス、脂肪、プラスチック、セラミック及びグリース、又はこれらの混合物を含める、請求項１から４までのいずれか一項に記載の水処理用組成物。
【請求項６】
ワックスが、長鎖炭化水素並びに／又は長鎖アルコール及び長鎖脂肪酸のエステルの形態で提供される、請求項５に記載の水処理用組成物。
【請求項７】
ワックスが石油ワックスである、請求項５又は請求項６に記載の水処理用組成物。
【請求項８】
担体が、パラフィンワックス及び微結晶ワックスの少なくとも１つを含む、請求項５から７までのいずれか一項に記載の水処理用組成物。
【請求項９】
処理成分が油の形態で提供される、請求項１から８までのいずれか一項に記載の水処理用組成物。
【請求項１０】
処理成分が鉱油の形態で提供される、請求項９に記載の水処理用組成物。
【請求項１１】
前記油がパラフィン油である、請求項１０に記載の水処理用組成物。
【請求項１２】
油が、組成物の約０．１重量％から４０重量％を構成する、請求項９から１１までのいずれか一項に記載の水処理用組成物。
【請求項１３】
水が、水槽の水、下水、噴水の水、産業廃水、並びにダム、池、湖、川、潟湖及び海洋からの水を含む群から選択される、請求項１から１２までのいずれか一項に記載の水処理用組成物。
【請求項１４】
液体有機化合物である処理成分及び固体有機化合物である担体を含む水処理用組成物を水に添加することを含む水処理の方法。
【請求項１５】
実質的に実施例に準拠して本明細書に記載した通りである水処理用組成物。
【請求項１６】
実質的に実施例に準拠して本明細書に記載した通りである水処理の方法。
【発明の詳細な説明】
【技術分野】
【０００１】
本発明は水処理用組成物に関する。
【背景技術】
【０００２】
水質汚濁への誘因には多くの形態があり、大気から出される物質、土壌浸食からの汚泥、化学肥料及び殺菌剤、腐敗槽からの流出、家畜飼育場からの流出、産業分野からの化学廃棄物、並びに都市及び町からの汚水及び他の都市廃棄物が挙げられる。
【０００３】
有機物が、それを分解及びリサイクルする水中の微生物の能力を超えると、こうした物質における栄養素の過剰により、水の華を促進することがある。これらの藻類が死滅すると、それらの残骸は、すでに水中にある有機廃棄物をさらに増加させ、結局、水は酸素が不足する。酸素を必要としない生物は、次いで、有機廃棄物を攻撃し、酸素を必要とする生命体に対して有害であるメタン及び硫化水素などのガスを放出する。その結果、悪臭を放つ、廃棄物が充満した水塊となる。
【０００４】
現代の下水システムには、家庭用下水溝及び産業用下水溝、並びに雨水溝がある。下水処理場では、一連のステップを介して廃水から有機物を除去する。下水が処理場に入ると、（木材及び小石などの）大きな物体がふるいにかけられ、砂利及び砂が、次いで、沈降すること又はより微細な網でふるいにかけることによって除去される。残りの下水は、懸濁固形物（スラッジ）が沈降する一次沈殿槽を通過する。残りの下水を曝気し、有機物を分解する微生物を混合する。二次沈殿槽では、残りの固形物を沈降させ、残りの液体排出物を水塊中に排出する。沈殿槽からのスラッジは、埋立て地に捨てる、海に投棄する、肥料として使用する、又は加熱槽（消化槽）中でさらに分解して処理場を作動させるメタンガスを生成することができる。
【０００５】
家庭用及び商業用の両水槽が、様々な毒素の蓄積のために水を定期的に取り替える必要に悩まされている。例えば、塩水水槽は、通常該槽と同サイズから３倍大きいサイズの大きな細菌濾過器が最大３カ月まで同じ水を保持することが可能であるが、一般に、７日から１０日毎に通常の水槽濾過器で水の２５％から７５％を交換する必要がある。
【０００６】
生物濾過システムは、槽において動物から分離されているエリアを設けることによって機能する。濾過器は、魚類の排泄物によって生成されるアンモニア及び亜硝酸を餌として成長する非毒性細菌のために、高表面積を有するべきである（例えば、一部の生物濾過器は、柔らかいスポンジ、穴が多く付いている小さなプラスチックの中空ボール、又は玉石を使用する）。この廃棄物が除去されないと、魚類は数日内に死滅する恐れがある。一般に、塩水槽の水は７日から１０日毎に交換しなければならず、淡水槽の水は、魚類密度に依存して２０日から４０日毎に交換しなければならない。塩水魚類が一般に淡水魚類より高い代謝率を有しているため、淡水から塩水への水交換の間の時間は異なる。
【０００７】
本発明の背景の上記考察は、本発明の理解を促進することを意図する。しかし、該考察は、本出願の優先日において、言及した資料のいずれもがオーストラリア又は他の任意の場所における通常の一般知識の一部であったと承認又は認知しているのではないことを認識すべきである。
【０００８】
本明細書全体において、文脈から他の意味に解すべき場合を除き、「含む（ｃｏｍｐｒｉｓｅ）」という語、又は「含む（ｃｏｍｐｒｉｓｅｓ）」若しくは「含む（ｃｏｍｐｒｉｓｉｎｇ）」などの変形は、明言した整数又は整数の群の包含を示唆するもので、いかなる他の整数又は整数の群の排除を示唆するものではないことを理解されよう。
【発明の概要】
【課題を解決するための手段】
【０００９】
本明細書に記載した本発明は、具体的に記載した変形及び改変以外の変形及び改変が可能であることを、当業者は認識されよう。本発明がこうした変形及び改変を全て含めることを理解されるべきである。本発明は、本明細書において言及又は記載したステップ、特徴、組成物及び化合物の全ても個々又は集合的に含め、並びにステップ又は特徴の任意の組合せ若しくは全ての組合せ、又は任意の２つ以上の組合せも含める。
【００１０】
本発明は、例証のみの目的を意図する、本明細書に記載した具体的な実施形態によって、範囲を限定されることはない。機能的に同等である生成物、組成物及び方法は、本明細書に記載した通り、明らかに本発明の範囲内である。
【００１１】
本明細書で引用した（特許、特許出願、学術論文、実験マニュアル、書籍又は他の文書を含めて）全ての出版物の全開示を、参照により本明細書に組み込む。
【００１２】
本発明によれば、液体有機化合物である処理成分及び固体有機化合物である担体を含む水処理用組成物が提供される。
【００１３】
本明細書の文脈において、液体及び固体という用語は、周囲温度での抽出物及び担体の状態を指す。
【００１４】
好ましくは、処理成分は水中で実質的に不溶である。
【００１５】
好ましくは、担体は水中で実質的に不溶である。
【００１６】
好ましくは、担体は、処理成分を保持するように適応させる。該組成物をある容量の水に入れた場合、担体は、処理成分が該容量の水全体に拡散するのを抑止するのが好ましい。
【００１７】
本発明の文脈において、有機化合物という用語は、炭素を含有する化学物質を包含するものとする。該用語がＣ−Ｃ結合及びＣ−Ｈ結合をもつ化学物質を包含することを理解されよう。該化学物質は、アルコール、アルデヒド、ケトン、アミド、アミン、カルボン酸、エーテル及びエステルなどの少なくとも１つの官能基を含む場合があることを認識されよう。
【００１８】
該担体は、ワックス、脂肪、プラスチック、セラミック及びグリース、又はこれらの混合物を含めて、実質的に水に不溶である有機化合物の任意の形態を含む場合があることを認識されよう。
【００１９】
該担体がワックスを含む場合、ワックスは、長鎖炭化水素並びに／又は長鎖アルコール及び長鎖脂肪酸のエステルを含むのが好ましい。
【００２０】
本発明の特定の形態において、ワックスは石油ワックスである。本明細書の文脈において、石油ワックスという用語は、実質的に完全飽和した炭化水素及び実質的に直鎖の炭化水素であるパラフィンワックスと、有意な割合の分枝及び環構造をもつ実質的に完全飽和した炭化水素である微結晶ワックスとの両方を包含する。
【００２１】
該担体がパラフィンワックスを含む場合、パラフィンワックスの炭素数は約２５個超であるのが好ましい。より好ましくは、炭素数が約２５個と４５個との間である。
【００２２】
好ましくは、パラフィンワックスは約４５℃と約７０℃との間の融点を有する。より好ましくは、パラフィンワックスは約５５℃の融点を有する。
【００２３】
担体が微結晶ワックスを含む場合、微結晶ワックスの炭素数は約２５個超であるのが好ましい。より好ましくは、炭素数が約２５個と４５個との間である。
【００２４】
本発明の一形態において、担体は、パラフィンワックス及び微結晶ワックスの混合物を含む。パラフィンワックス及び微結晶ワックスの最適な割合は、組成物の適用によって変化することを認識すべきである。例えば、水の特性及び温度における差異が、担体の最終構成に影響する場合がある。
【００２５】
好ましくは、担体は、約０重量％から９５重量％の間のパラフィンワックス及び約５重量％から１００重量％の間の微結晶ワックスを含む。より好ましくは、担体は、約０重量％から７０重量％の間のパラフィンワックス及び約３０重量％から１００重量％の間の微結晶ワックスを含む。より好ましくはまた、担体は、約２０重量％から６０重量％の間のパラフィンワックス及び約４０重量％から７０重量％の間の微結晶ワックスを含む。より好ましくはまた、担体は、約４０重量％から５０重量％の間のパラフィンワックス及び約４０重量％から５０重量％の間の微結晶ワックスを含む。
【００２６】
好ましくは、処理成分は油の形態で提供される。本発明の一形態において、処理成分は鉱油の形態で提供される。該油が鉱油の場合、該油はパラフィン油であるのが好ましい。本明細書の文脈において、「パラフィン油」という用語は、液体炭化水素、又は石油から得られる液体炭化水素類の混合物を包含することを意図する。
【００２７】
処理成分が油の場合、処理成分は、組成物の約０．１重量％から４０重量％を構成するのが好ましい。より好ましくは、処理成分は、組成物の約５重量％から２０重量％を構成する。組成物に使用される処理成分の最終量が、組成物の最終用途、及び使用される処理成分の性質に依存することは認識されよう。例えば、担体の特性に依存して油の割合が高すぎると、組成物が固形形態にとどまらない恐れがある。
【００２８】
本発明の一形態において、該組成物は、１種又は複数種の着色剤を含むことができる。組成物が着色剤を含む場合、着色剤は、野菜色素又は顔料、例えば塗料の着色に使用される野菜色素又は顔料の形態で提供することができる。
【００２９】
本発明の組成物は、水槽の水、下水、噴水の水、産業廃水、並びにダム、池、湖、川、潟湖及び海洋の水を処理するのに使用することができる。
【００３０】
好ましくは、該組成物によって処理する水塊をかき混ぜる。
【００３１】
広い表面積の組成物を形成するのが有利である。
【００３２】
水塊に使用される組成物の質量は、水の容量、水の性質、使用及び不純物レベル、並びに組成物における構成物質の濃度に依存することは認識されよう。
【００３３】
理論によって限定されることなく、該組成物が、水中の重金属を含める不純物の濃度を減少することができると考えられる。
【発明を実施するための形態】
【００３４】
本発明の方法及び抑止剤を、単なる例として、水処理用組成物の多くの実施形態を参照にして次に記載する。例として、本発明の組成物を、水槽の水、願掛け井戸の水及び下水を処理するのに使用される水処理用組成物に即して記載するが、前述の説明の一般論を限定するとみなされるべきではない。
【００３５】
組成物の調製
３０％のパラフィン及び７０％の微結晶、４０％のパラフィン及び６０％の微結晶、５０％のパラフィン及び５０％の微結晶、６０％のパラフィン及び４０％の微結晶、並びに７０％のパラフィン及び３０％の微結晶の百分率におけるパラフィン対微結晶ワックスの使用により、同様の結果がもたらされることを見出した。しかし、５０／５０の混合物のほうが、処理するのに容易であることを見出した。
【００３６】
８０℃の融点をもつ微結晶ワックス、５５℃の融点をもつ同じ重量分量のパラフィンワックス、並びに微結晶及びパラフィンワックスの総質量の５％、１０％、２０％又は３３％のいずれかに相当する分量のパラフィン油を、室温で容器に添加し、撹拌しながら約１００℃まで加熱し、ワックス及び油の両方を溶かし、ブレンドした。加熱を除去し、溶けた組成物を型に注いだ。パラフィン油を、Ｄｅｌｏ  ４００エンジン油、純粋パラフィン油又は粗パラフィン油の形態で生成した。
【００３７】
水塊とともに使用する組成物の量は、水の容量、水質、並びに水の曝気及び流れの程度を含めて、多くの要因に依存することは認識されよう。
【００３８】
水槽は、フィートで測定される槽の長さによって水量を示すのが一般的である。こうした測定は過度に単純であり、槽の形状について情報を提供していないことは認識されよう。槽の形状についていかなる情報もない限り、こうした言及は、通常、長方形の水槽を参照にして使用される。
【００３９】
２フィート未満の槽には、約１００ｇのワックス片が推奨される。３フィートから４フィートの槽には、約２５０ｇのワックス片が推奨される。６フィートの槽には、約５００ｇのワックス片が推奨される。
【００４０】
一般論として、６フィートの槽は約１２００ｍｍ×３５０ｍｍ×３００ｍｍで、容量が約１２６Ｌであり、４フィートの槽は約１８００ｍｍ×４００ｍｍ×３５０ｍｍで、容量が約２５２Ｌである。
【００４１】
水槽で使用する場合の該組成物におけるパラフィン油の量は、魚類又は動物の（低、中又は高）密度、及び水に当たる自然光の量を含めて、多くの要因に依存することは認識されよう。低密度、中密度及び高密度は、魚類サイズ及び水量で異なり得、例えば、６匹の小魚類（グッピー）が、１匹の中サイズの金魚と同様の密度を含むことは認識されよう。１２６Ｌの最大容量をもつ４フィートの槽において、４匹以下の平均サイズの金魚は低密度、５匹と８匹の間の魚類は中密度、及び９匹以上の魚類はより高密度であると考えられるであろう。
【００４２】
ワックス片の推奨質量は、該片中のパラフィン油濃度によって影響されることをさらに認識されよう。理論によって限定されることなく、動物密度は、動物の排泄量全体に影響を及ぼすと考えられている。例えば、低から中の魚類密度をもつ槽は、５％のパラフィン油含有量が十分であり得るが、より高い密度をもつ槽は、１０％のパラフィン油含有量が必要であり得る。日光に直接曝されない屋内槽は、屋外又は窓の近くに位置する同等の槽より低いパラフィン油含有量、例えば５％〜１０％が必要であり得る。理論によって限定されることなく、これは藻類の成長に対する光の寄与によると考えられる。本組成物は、必ずしも藻類の成長を止め得ることがない上、一部の藻類が餌とする栄養素の成長を止めるのを促進することはないと考えられる。
【００４３】
養魚池及び願掛け井戸などの屋外の水供給源に関し、考えるべき要因は動物密度（動物がいない、低密度、中密度、高密度）及び自然光の量である。低密度の養魚池又は魚類がいない池には、約５％のパラフィン含有量が推奨される。中密度又は高密度の養魚池には、約１０％のパラフィン含有量が推奨される。十分日陰になっている池には、約５％のパラフィン含有量が推奨され、一部日陰になっている池には、約５％のパラフィン含有量が推奨されるが、これらの数字は魚類密度にも依存する。該組成物が必ずしも藻類を死滅させることがないので、十分日当たりがよい池は、また緑色になる可能性があることを認識されよう。
【００４４】
小さな屋外の池及び井戸（例えば２５０Ｌ未満の水）には、約２５０ｇのワックス片が推奨される。最大６００Ｌの水までの小さい池には、約５００ｇのワックス片が推奨される。約６００Ｌから約２０００Ｌの大きな池には、約５００ｇのワックス片が推奨される。これらの池に直射日光が当たる場合、量を倍にすることを推奨する。
【００４５】
所見
本明細書全体にわたり、以下の名称を使用して、本発明の異なる実施形態を記載する。
組成物Ａ−同じ重量分量のパラフィンワックス及び微結晶ワックスをもつディーゼルエンジン油（Ｄｅｌｏ  ４００）、
組成物Ｂ−同じ重量分量のパラフィンワックス及び微結晶ワックスをもつパラフィン油、
組成物Ｃ−同じ重量分量のパラフィンワックス及び微結晶ワックスをもつ粗パラフィン油。
【００４６】
各油における処理成分の量は、下記に示す通り、Ａ、Ｂ又はＣの文字に続く数字によって表示する：
組成物Ａ５−５重量％のディーゼルエンジン油をもつ組成物、
組成物Ｂ１０−１０重量％のパラフィン油をもつ組成物、及び
組成物Ｃ２０−２０重量％の粗パラフィン油をもつ組成物。
【００４７】
パラフィンワックス５５は、約１％のパラフィン油を含むと考えられる。
【００４８】
以下の実施例は、上記した発明を使用する方法をより詳しく記載するため、並びに、本発明の様々な態様を実行するために考慮された最良の形態を説明するための役目をする。これらの実施例は、決して本発明の実範囲を限定する役目をするのではなく、むしろ例証の目的で提示することを理解されよう。
【実施例】
【００４９】
試験１
試験は、生物濾過システムで維持された１１匹の魚類及び９匹の甲殻類を収容する長さ６フィート（２５０Ｌの最大容量）の家庭用塩水魚類の槽で行い、魚類の健康を維持するため、前もって、水の１／３から半分を７日から１０日毎に取り替えた。５００ｇ片の組成物Ａ１０を槽に入れ、水の表面に浮かべた。１４日後、槽内の水は透明なままであり、魚類は健康であるように見えた結果、水を交換しなかった。通常の状況下では、１４日後に水の交換をしない場合、ほとんど確実に動物は死滅するであろう。１７日後、槽内の水は透明なままであり、動物は健康であるように見えた。１７日目、該組成物を槽から除去し、観察を続けた。表１からわかる通り、水は急速に濁って臭くなり、動物はストレスが多いように見えた。該組成物を１９日目に取り替え、水は１日以内に透明になり、動物は健康に戻ったように見えた。槽内の水は、この時交換しなかった。
【００５０】
表１家庭用塩水魚類の槽における組成物Ａ１０
【表１】
2010524668.tif 000002
【００５１】
１７日目に該槽から組成物を除去した結果、水質が急激に悪化し、組成物の再導入により水が急速に透明になったことから、水それ自体の任意の特性よりむしろ組成物の存在が、最初の１６日間水を透明なままにしたと考えられる。
【００５２】
試験を続けて、水を交換することなく組成物が有効のままである時間の長さを調査した。表２に示される通り、槽内の水は透明なままであり、動物は６カ月間健康に見えた。
【００５３】
表２  家庭用塩水魚類の槽における組成物Ａ１０
【表２】
2010524668.tif 000003
【００５４】
試験中に少数の魚類が死滅したが、これらは大きな魚類によって殺されたと考えられたことに留意されたい。死んだ魚類を、除去する前の３日間槽内に放置したが、水の外観又は残った魚類の外見上の健康に影響はなかった。魚類槽内の死んだ魚類の存在は、通常、残った動物の健康に２４時間以内は影響するであろうことに留意されたい。
【００５５】
試験２
組成物の有効性が、該油それ自体又はパラフィンワックス及び／若しくは微結晶ワックスの存在によるかどうか調査するため、様々な組成物で試験を行った。槽１には組成物を含有せず、槽２にはパラフィンワックス２０ｇ片を含有し、槽３には微結晶ワックス２０ｇ片を含有し、槽４には組成物Ａ１０  ２０ｇ片を含有した。各槽に、脱塩水道水３０Ｌ及び小さな木の枝を含有した。槽２、槽３及び槽４におけるワックス片は、試験の期間中水の表面上に浮かべた。
【００５６】
表３  時間の経過による、対照、パラフィンワックス、微結晶ワックス及び組成物Ａ１０
【表３】
2010524668.tif 000004
【００５７】
表３に示される通り、対照（槽１）と比較して、微結晶ワックスの使用だけでは（槽３）、水が褐色になる時間の長さが増加されなかったことが、結果により示されている。理論によって限定されることなく、パラフィンワックスの使用により（槽２）、パラフィンワックス中に存在する少量のパラフィン油のために対照と比較して該時間が増加したと考えられる。パラフィン油の増加した量により（槽４）、改善された結果がもたらされた。
【００５８】
該槽のいずれにも曝気又はかき混ぜることをせず、各槽における水は実質的に静止していた。理論によって限定されることなく、これは、試験１と比較して、組成物Ａ１０が「活性のままである」時間の長さを減少することに貢献したと考えられる。
【００５９】
試験３
試験１の水槽を使用し、１片の組成物Ａ１０（およそ１５０ｇ）を中空円筒に形成し、濾過器の中を通過する水の全てが該円筒上も通過するように、水濾過器の出口の上に置いた。試験は、表４に示される通り、組成物の効力に対する水流の影響を決定するために行った。
【００６０】
表４  時間の経過による、水濾過器に隣接する組成物Ａ１０
【表４】
2010524668.tif 000005
【００６１】
６カ月後、２００個の生きているザルガイを槽に入れ、約４週間後、おそらく飢餓の結果として、それらは全て死滅していた。この時、水は濁った褐色となっており、臭いがしていた。しかし、魚類は生きたままであった。死滅したザルガイのおよそ９０％を槽から除去し、組成物Ａ１０（およそ１５０ｇ）の円筒を、パラフィンワックス（４０％）、微結晶ワックス（４０％）及びパラフィン油（２０％）を含む組成物Ｂ２０（およそ１５０ｇ）の円筒と取り替えると、１時間以内に水は淡褐色になり、２４時間後に褐色の色が消えていた。黄色残渣が槽内に存在し、ワックス試料が黄色に変わっていた。水が黄色味を帯びているように見えた。
【００６２】
水が透明になった後、組成物Ｂ２０（およそ１５０ｇ）を、パラフィンワックス（４８％）、微結晶ワックス（４７％）及びパラフィン油（５％）を含む組成物Ｂ５（およそ１５０ｇ）と取り替え、時間をかけて該槽を観察した。さらに７カ月後、水は透明なままであり、黄色残渣は表５に示される通り存在していた。
【００６３】
表５  時間の経過による、水濾過器に隣接する組成物Ｂ５
【表５】
2010524668.tif 000006
【００６４】
１４カ月後、組成物Ｂ５を、パラフィンワックス（４８％）、微結晶ワックス（４７％）及びパラフィン粗油（５％）を含む組成物Ｃ５（およそ１５０ｇ）と取り替えると、表６に示される通り、２４時間以内に、水に対する黄色味が消えていた。
【００６５】
表６  時間の経過による、水濾過器に隣接する組成物Ｃ５
【表６】
2010524668.tif 000007
【００６６】
１８カ月後の水の分析により、全ての読取りは正常の範囲内であり（表７）、少量の水交換しか必要でないことが示唆された。
【００６７】
表７  １８カ月後における、試験３からの水の分析
【表７】
2010524668.tif 000008
【００６８】
表７からわかる通り、アンモニア及び亜硝酸の濃度は低く、該ワックスが生物濾過器として機能していた可能性があることを示唆している。硝酸及びリン酸の高濃度は、１８カ月の期間にわたって水が交換されなかった反映であった可能性がある。これらの化合物は時間をかけて蓄積することが知られており、水槽の水を定期的に取り替えることが推奨される所以である。総溶解固形物の読取りは水の塩分の反映であり、水交換の不足のために通常より高かった。細菌数が多種の細菌を反映しており、必ずしも水が有害であるという示唆でないことを認識すべきであっても、細菌数は高かった。
【００６９】
水のｐＨはその場で調べたのではなく、研究室に移送した試料で調べた。移送中の水の保管が読取りに影響した場合があるという可能性がある。潜在的誤りであるとしても、７．７は海水（通常８．１）としては低く、一部の海産魚類にとってストレスとなり得る二酸化炭素の蓄積を示唆している可能性がある。
【００７０】
標準的な小さな生物濾過器は、水を交換せずに塩水槽の衛生を最高７０日間維持することが知られている。試験３により、本発明の組成物を利用して、水を交換することなく５００日超の間槽を維持できることが示されている。
【００７１】
試験４
通常の住居用水槽環境下の槽が毒性濃度に達するのにかかる時間を確立するため、及び魚類が長期間生きると思われる環境を本発明の組成物がどのように提供することができるかを実証するため、１０個の２５Ｌ塩水水槽で試験を行った。水は、西オーストラリアのデナムの海辺から調達した海水であった。それぞれ重量がおよそ１００ｇである２匹のマナガツオを各槽に入れ、毎日餌を与え、蒸発損失分を占めるのに必要なだけ水を補給した。試験の期間中、水を取り替えなかった。
【００７２】
槽１、槽４及び槽７には、小さな生物スポンジ濾過器を含有し、槽２、槽５及び槽６には、組成物Ａ１０の試料１５０ｇを含有し、槽３及び槽８には、微結晶ワックスの試料１５０ｇを含有し、槽９及び槽１０には、パラフィン５５ワックスの試料１５０ｇを含有した。
【００７３】
表８  時間の経過による、生物濾過器、組成物Ａ１０、微結晶ワックス及びパラフィンワックスの存在における魚類の健康
【表８】
2010524668.tif 000009
【００７４】
表８に示される通り、微結晶ワックスの使用により、５０日間を超えて生存可能な槽環境がもたらされた。生物スポンジ濾過器により、魚類を保持できなくなるまで６０日から７０日の間槽が維持された。約１％パラフィン油を含むパラフィンワックスの使用により、７０日間を超えて健康環境が維持された。１０％パラフィン油を含む組成物Ａ１０により健康環境が１５８日間維持された後、試験を終了した。
【００７５】
試験５
グッピー、金魚及びザリガニの入った３フィートの淡水槽で試験を行った。中空円筒に形成した組成物Ｂ５の試料１００ｇを、全ての濾水が該組成物上を通過するように濾過器システムの出口上に置いた。
【００７６】
表９  時間の経過による組成物Ｂ５
【表９】
2010524668.tif 000010
【００７７】
表９に示される通り、該試験により、該組成物は淡水動物に有害でないと思われることが示された。ザリガニの死滅原因は調査しなかった。
【００７８】
試験６
グッピー、金魚及びザリガニの入った５フィート（２００Ｌの最大容量）の淡水槽で試験を行った。組成物Ｂ１０の試料１５０ｇを濾過器システム内に置いた。
【００７９】
表１０  時間の経過による組成物Ｂ１０
【表１０】
2010524668.tif 000011
【００８０】
表１０に示される通り、４日後、該槽は、もはや動物を維持することができなくなった。理論によって限定されることなく、水濾過器内の組成物の位置が濾過器上の細菌に影響を及ぼしたと考えられ、硝酸及びリン酸を生存可能な濃度に保持する濾過器の能力を危険にさらすと考えられる。
【００８１】
試験７
１３０Ｌの最大容量をもつ願掛け井戸を空にし、新鮮な水道水を充填し、組成物Ａ１０の試料２００ｇを、水ポンプの配管に入れた。表１１に示される通り、該組成物は水を６カ月間透明に維持した。通常の状況下において、組成物の非存在下では、天候に依存しながら７日から１４日内に水は濁ったであろうと考えられる。
【００８２】
表１１  時間の経過による、願掛け井戸における組成物Ａ１０
【表１１】
2010524668.tif 000012
【００８３】
試験８
組成物Ｂ２０（１５０ｇ）を使用し、試験７を繰り返し、結果を表１２に示した。
【００８４】
表１２  時間の経過による、願掛け井戸における組成物Ｂ２０
【表１２】
2010524668.tif 000013
【００８５】
７カ月の水を（水が濁る前に）試験し、結果を表１３に示した。
【００８６】
表１３  ７カ月後の試験８からの水の分析
【表１３】
2010524668.tif 000014
【００８７】
結果により、組成物Ｂ２０は、組成物Ａ１０よりも長く水の透明度を維持したことが示されている。試験８において硬貨の黒化はなく、試験７における硬貨の黒化は、組成物の調製に使用されたエンジン油における成分の結果であった可能性があると考えられる。試験８における水は７カ月後に濁ったが、これは、水及び汚れが大雨の後に井戸に流れ込んだためであった可能性がある。
【００８８】
試験９
長さ約３ｍ及び深さ約３０ｃｍ（３５０Ｌの最大容量）の淡水池で試験を行った。組成物Ｂ２０の試料３５０ｇを池に入れ、結果を表１４に示した。
【００８９】
表１４  時間の経過による、願掛け井戸における組成物Ｂ２０
【表１４】
2010524668.tif 000015
【００９０】
表１４から、本発明の組成物が淡水池における藻類を害することがないことは明らかである。
【００９１】
試験１０
組成物が藻類に直接有害であるかどうか決定するために、藻類の種（イソクリシス、パブロバ・ルセリ、キートセロス・カルシトランス及びキートセロス・ムエレリ）で試験を行った。藻類培養液の試料を、組成物Ｃ１０（１０ｇ）とともに５００ｍＬフラスコに（培養液３５０ｍＬ）、又は組成物Ｃ１０（４０ｇ）とともに２Ｌフラスコに（培養液１．６Ｌ）入れた。表１５に示される通り、藻類は組成物Ｃ１０の存在下で安定であった。
【００９２】
表１５  組成物Ｃ１０の存在下での藻類安定性
【表１５】
2010524668.tif 000016
【００９３】
試験１１
西オーストラリアのデナムにある下水池から採取した下水の試料を、深さおよそ１フィート及び曝気した４つの別の３０Ｌガラス槽に入れた。この段階で、水は強臭をもつ暗緑色であり、槽の表面上に泡状物質があった。
【００９４】
時間の経過による各槽における水の透明度を、１が透明で無色の水を表し、１０が不透明な水を表す１から１０の段階基準を使用してモニターした。
槽１は、曝気しただけの対照であった。
槽２は、３００ｇの組成物Ｃ３３で処理した。
槽３は、３００ｇの組成物Ｂ２０で処理した。
槽４は、３００ｇの組成物Ａ２０で処理した。
【００９５】
表１６  時間の経過による、下水の透明度の観察
【表１６】
2010524668.tif 000017
【００９６】
５日後、槽１には、水の表面上に大量の緑色泡状物質があり、槽３及び槽４には少量の泡状物質があった。４つの槽全てにおける水の透明度は変化しなかった。
【００９７】
１５日後、該槽の全てにおける曝気率は減少した。槽１、槽３及び槽４における水は軽度の緑色であり、槽４における水は褐色であった。少量の固形物質が槽２の表面上に存在していた。
【００９８】
２０日後、該槽のいずれにも泡立ちがなかった。槽４の透明度は悪くなったが、おそらく、より低い曝気率のためである。槽２には、より大量の固形物質が槽の底に存在し、且つ水面上にも浮遊して存在していた。
【００９９】
２９日後、槽２における水は完全に透明であった。
【０１００】
表１７  試験１１からの水サンプリング
【表１７】
2010524668.tif 000018
【０１０１】
表１７により、水の濁りは、透明度の観察と一致して有意に減少したことが示されている。生化学的酸素要求量（ＢＯＤ）は、分解される廃棄物が少なくなるにつれて減少した。水源となっている池で曝気をしなかったため、溶解酸素は出発水のほうが低かった。
【０１０２】
試験１２
組成物Ｃ２０の第１  ９ｋｇ片を、非曝気下水池（約１６０００００Ｌ、塩含有量６０００ｐｐｍ）に入れた。組成物Ｃ２０の第２  ９ｋｇ片を、溢水池に向かう下水池の溢水領域に入れた。池は緑色及び濁っており、視程は１ｃｍ未満であった。溢水池は深さ約５ｃｍであり、大量の泡状物質で暗緑色だった。
【０１０３】
１５日後、下水池の視程は約３０ｃｍに増加していた。
【０１０４】
２９日後、下水池の視程は約６０ｃｍに増加しており、溢水池には少量の泡状物質があるだけで、完全に透明であった。
【０１０５】
試験１３
西オーストラリアのデナムの上水から採取した都市の水の試料を、２つの別の２０Ｌ容器に入れた。１つの容器を対照として使用し、第２容器に２００ｇ片の組成物Ｃ５を入れた。両容器を曝気して、水の動きを作り出した。容器を１８日間放置した後、試料を採取して、組成物からの浸出が起こっていないかどうかを決定するために分析した。下記表１８に示される結果から、組成物から試験した物質のいずれも有意な浸出がなかったことが明らかである。
【０１０６】
表１８  試験１３からの水サンプリング
【表１８】
2010524668.tif 000019
【０１０７】
試験１４
８００Ｌ槽に西オーストラリアのシャークベイにある魚類工場から、魚類臓物を含有する廃水の試料を充填した。Ｃ３３  ３ｋｇを１つの槽に入れ、他の槽を対照として使用した。両槽を適度に曝気して、十分日に当てた。水は当初黒く、腐敗して臭っていた。
【０１０８】
表１８  試験１４から時間の経過による水の透明度の観察
【表１９】
2010524668.tif 000020
【０１０９】
２０日目に、両槽の表面の７０％をターポリンで覆った。これまでの試験で、該組成物は必ずしも直射日光の中で藻類の成長を妨げることはないことが示唆された。
【０１１０】
表１９  試験１４からの水サンプリング
【表２０−１】
2010524668.tif 000021
【表２０−２】
2010524668.tif 000022
【０１１１】
当業者に明らかであると思われる変形及び改変は、本発明の範囲内であるとみなされる。
【国際調査報告】
2010524668.tif 000023
2010524668.tif 000024
2010524668.tif 000025